(57)【要約】【課題】ファン取り付け構造において、ファンの騒音を低減させると共に、筐体に対するファンの取り付け作業が容易に行え、作業者の手間を低減させる。【解決手段】リアパネル２１は、バーリング加工により形成された中空部２１ａを有する円筒状の突起部２２を有し、外側には、ファン７を収納したファンカバー３が取り付けられる。ファンカバー３は、取付孔３１ａを有する。取付孔３１ａは、ねじ８ａの頭が係止される孔３４ａと、突起部２２が嵌合される孔３５ａとを有する。ファンカバー３の孔３５ａに突起部２２を嵌合させると、孔３４ａ、孔３５ａ、及び中空部２１ａが貫通する。このとき、突起部２２は、完全に孔３５ａに嵌合されず、突起部２２の先端のみが孔３５ａに嵌合される。そのため、ファンカバー３と、リアパネル２１との間にスペース９が空いており、ファンカバー３とリアパネル２１とは接しない。【選択図】図４
0003128411.tif 000002
【実用新案登録請求の範囲】
【請求項１】
空気流を発生させるファンを内部に収納したファンカバーを、電気機器の筐体の取り付け面に取り付けるファン取り付け構造において、
前記取り付け面は、バーリング加工により形成された中空部を有する円筒状の突起部を有し、
前記ファンカバーは、前記筐体の外側に取り付けられ、前記突起部を嵌合可能な取付孔を有し、
前記取付孔に前記突起部を嵌合した後、前記中空部及び該取付孔にねじを螺入することにより前記取り付け面に前記ファンカバーを取り付け、それによって、前記筐体に対する該ファンカバーの位置決めをすることができると共に、該突起部により該ファンカバーと前記筐体との間に隙間を設けたことを特徴とするファン取り付け構造。
【請求項２】
ファンを内部に収納したファンカバーを、筐体に取り付けるファン取り付け構造において、
前記筐体は、バーリング加工により形成された中空部を有する突起部を有し、
前記ファンカバーは、前記突起部を嵌合可能な取付孔を有し、
前記取付孔に前記突起部を嵌合することにより、前記筐体に前記ファンカバーを取り付けることを特徴とするファン取り付け構造。
【請求項３】
前記取付孔に前記突起部を嵌合した後、前記中空部及び該取付孔にねじを螺入することにより、前記筐体に前記ファンカバーを取り付けることを特徴とする請求項２に記載のファン取り付け構造。
【考案の詳細な説明】
【技術分野】
【０００１】
本考案は、ファン取り付け構造に関し、特に騒音を低減させると共に、筐体に対するファンカバーの位置決めが容易なファン取り付け構造に関する。
【背景技術】
【０００２】
従来から、ハードディスクプレーヤ等の電気機器の内部に設けられた電子部品による発熱を抑制するために、電気機器の筐体にファンを取り付け、このファンを回転させることによって強制的に空気流を生じさせ、発熱を抑制するようにしているものが知られている。ところで、筐体に取り付けられたファンが回転することにより、振動や共振が生じ、これによって騒音が発生するという問題がある。特に、電気機器の筐体のリアパネルにファンカバーをビス固定する場合には、リアパネル側の孔部が突状になってしまうため、ファンカバーが浮き気味になり、振動や共振が大きくなると共に、これらが一定化しないという問題がある。また、ファンを筐体に取り付ける際に、筐体に対するファンの取り付け位置が決められていない場合、ファンを筐体に取り付ける作業が困難であり、作業者の手間がかかるという問題もある。
【０００３】
これに対して、特許文献１は、筐体の取り付け面とファンとの間に所定の間隔を設けることにより、ファンの騒音を低減させることができるファン取り付け構造を開示している。また、特許文献２は、筐体の取り付け面とファンとの間に弾性部材を設け、ファンの振動が筐体に伝達されることを低減させ、騒音を低減させることができるファン取り付け構造を開示している。また、特許文献３は、筐体の取り付け面とファンとの間に略半球状の突起を設け、この突起の先端をファンの取り付け面に当接させることにより、ファンの振動が筐体に伝達されることを低減させ、騒音を低減させることができるファン取り付け構造を開示している。しかし、これらのファン取り付け構造では、ファンの騒音を低減させることはできても、筐体に対するファンの取り付け位置を決めることができず、作業者の手間を低減させることができない。
【０００４】
また、特許文献４は、筐体の取り付け面にバーリング加工を施すことにより突起部を形成し、この突起部とファンの取付孔とを嵌合させることにより、筐体にファンを取り付ける際の取り付け位置を確実に決めることができるファン取り付け構造を開示している。しかし、このファン取り付け構造では、筐体にファンを取り付ける際の作業者の手間を低減させることはできても、筐体とファンとが密接するので、振動や共振を低減できず、ファンによる騒音を低減させることができない。
【特許文献１】特開２００３−８２６９号公報
【特許文献２】特開２００４−４７８３５号公報
【特許文献３】特開２００６−２７０７号公報
【特許文献４】特開平５−１５２７７６号公報
【考案の開示】
【考案が解決しようとする課題】
【０００５】
本考案は、上記課題を解決するためになされたものであり、ファンの騒音を低減させることができると共に、筐体に対するファンの取り付け作業が容易に行え、作業者の手間を低減させることができるファン取り付け構造を提供することを目的とする。
【課題を解決するための手段】
【０００６】
上記目的を達成するために請求項１の考案は、空気流を発生させるファンを内部に収納したファンカバーを、電気機器の筐体の取り付け面に取り付けるファン取り付け構造において、前記取り付け面は、バーリング加工により形成された中空部を有する円筒状の突起部を有し、前記ファンカバーは、前記筐体の外側に取り付けられ、前記突起部を嵌合可能な取付孔を有し、前記取付孔に前記突起部を嵌合した後、前記中空部及び該取付孔にねじを螺入することにより前記取り付け面に前記ファンカバーを取り付け、それによって、前記筐体に対する該ファンカバーの位置決めをすることができると共に、該突起部により該ファンカバーと前記筐体との間に隙間を設けたものである。
【０００７】
請求項２の考案は、ファンを内部に収納したファンカバーを、筐体に取り付けるファン取り付け構造において、前記筐体は、バーリング加工により形成された中空部を有する突起部を有し、前記ファンカバーは、前記突起部を嵌合可能な取付孔を有し、前記取付孔に前記突起部を嵌合することにより、前記筐体に前記ファンカバーを取り付けるものである。
【０００８】
請求項３の考案は、請求項２に記載のファン取り付け構造において、前記取付孔に前記突起部を嵌合した後、前記中空部及び該取付孔にねじを螺入することにより、前記筐体に前記ファンカバーを取り付けるものである。
【考案の効果】
【０００９】
本考案によれば、ファンカバーの取付孔に筐体の突起部を嵌合させるだけで、筐体に対するファンカバーの取り付け位置を容易に決めることができ、筐体にファンを取り付ける際の作業者の手間を低減させることができる。また、取付孔に突起部を嵌合させるので、筐体とファンカバーとの間に隙間ができ、ファンの振動が筐体に伝達しにくく、ファンによる騒音を低減させることができる。また、上記の突起部は、バーリング加工により形成されており、ファンカバー側の取付孔との接合面が平らになるので、ファンの回転により生じる振動や共振を抑制することができる。
【００１０】
また、ファンは、ファンカバーを介して筐体に取り付けられているので、ファンの振動が筐体に伝達しにくく、ファンによる騒音を低減させることができる。
【考案を実施するための最良の形態】
【００１１】
以下、本考案の一実施形態に係るファン取り付け構造について、図１乃至図３を参照して説明する。ここでは、本考案をＤＶＤプレーヤ等の電気機器に適用した場合について説明する。なお、本考案は、以下に記載した実施形態に限られず、例えば、本考案をハードディスクレコーダ等の電気機器に適用したものであってもよい。図１は、ＤＶＤプレーヤ１の外観を示し、図２は、ＤＶＤプレーヤ１の筐体２のリアパネル（取り付け面）２１と、ファン７と、ファンカバー３との分解状態を示し、図３は、ファンカバー３の側断面を示す。
【００１２】
ＤＶＤプレーヤ１は、筐体２と、ユーザにより再生等の操作をされる操作部４と、各種情報を表示するための表示部６と、ＤＶＤ等の記録媒体を装着するための装着部５とを備える。ＤＶＤプレーヤ１のリアパネル２１の外側には、筐体２の内部に設けられた電子部品（図示せず）による発熱を抑制するため、ファン７を収納したファンカバー３がねじ８ａ、８ｂにより取り付けられている。リアパネル２１は、バーリング加工により形成された中空部２１ａ、２１ｂを有する円筒状の突起部２２（図４参照）を有している。
【００１３】
ファン７は、羽根７２を有し、この羽根７２を回転させることにより空気流を生じさせ、筐体２内の電子部品による発熱を抑制するものである。また、ファン７は、四隅に、ファン７をファンカバー３の内部３２に取り付けるための取付孔７１が形成されている。
【００１４】
ファンカバー３は、突起部２２を嵌合可能な取付孔３１ａ、３１ｂと、ファン７を内部３２に収納するための係止部３３とを有する。係止部３３は、ファンカバー３の内部３２に形成されており、この係止部３３をファン７の取付孔７１に嵌入して、取付孔７１に係止することにより、ファン７を内部３２に収納させる。
【００１５】
取付孔３１ａ、３１ｂは、ねじ８ａ、８ｂが螺入される孔３４ａ、３４ｂと、突起部２２が嵌合される孔３５ａ、３５ｂとを有する。孔３４ａと孔３５ａ、並びに孔３４ｂと孔３５ｂとはそれぞれ貫通している。
【００１６】
次に、ファンカバー３のリアパネル２１への取り付けについて、図４及び図５を参照して説明する。図４は、取付孔３５ａに突起部２２を嵌合した状態の側断面を示し、図５は、取付孔３５ａに突起部２２を嵌合した後、ねじ８ａを螺入した状態の側断面を示す。なお、ここでは、取付孔３５ａに突起部２２を嵌合した場合について説明するが、取付孔３５ｂの突起部２２への嵌合についても同様の取り付けを行う。
【００１７】
ファンカバー３の孔３５ａに突起部２２を嵌合させると、孔３４ａ、孔３５ａ、及び中空部２１ａが貫通する。このとき、突起部２２は、完全に孔３５ａに嵌合されず、突起部２２の先端のみが孔３５ａに嵌合される。そのため、ファンカバー３と、リアパネル２１との間にスペース（隙間）９が空いており、ファンカバー３とリアパネル２１とは接していない。
【００１８】
そして、ねじ８ａを、筐体２の内部方向（図４の白抜き矢印方向）に、孔３４ａ、孔３５ａ、及び中空部２１ａに螺入することにより、ファンカバー３をリアパネル２１に取り付ける。このとき、ねじ８ａは、そのねじ山８１が、孔３４ａ、孔３５ａ、及び中空部２１ａの縁を切りながら螺入される。
【００１９】
上述したように、本考案によれば、ファンカバー３の取付孔３１ａ、３１ｂに筐体２の突起部２２を嵌合させるだけで、筐体２に対するファンカバー３の取り付け位置を容易に決めることができ、筐体２にファンカバー３及びファン７を取り付ける際の作業者の手間を低減させることができる。また、取付孔３１ａ、３１ｂに突起部２２を嵌合させるので、筐体２とファンカバー３との間にスペース９ができ、ファン７の振動が筐体２に伝達しにくく、ファン７による騒音を低減させることができる。
【００２０】
突起部２２は、バーリング加工により形成されており、ファンカバー３側の取付孔３１ａ、３１ｂとの接合面が平らになるので、ファンの回転により生じる振動や共振を抑制することができる。また、ファン７は、ファンカバー３を介して筐体２に取り付けられているので、ファン７の振動が筐体２に伝達しにくく、ファン７による騒音を低減させることができる。
【００２１】
なお、本考案は、上記実施形態の構成に限られず、考案の趣旨を変更しない範囲で種々の変形が可能である。例えば、ファンカバー３とリアパネル２１との取り付けは、２つの取付孔３５ａ、３５ｂにそれぞれ突起部２２を嵌合させるものを示したが、これに限られず、ファンカバーの取付孔が１つ又は３つ以上あり、それぞれにリアパネルの突起部を嵌合させるものであってもよい。
【図面の簡単な説明】
【００２２】
【図１】本考案の一実施形態に係るファン取り付け構造を備えたＤＶＤプレーヤを示す斜視図。
【図２】上記ＤＶＤプレーヤのリアパネル、ファン、及びファンカバーの分解状態を示す分解斜視図。
【図３】上記ファンカバーの側断面図。
【図４】上記ファンカバーと、リアパネルとを嵌合した状態を示す側断面図。
【図５】上記ファンカバーと、リアパネルとを嵌合した後、ねじを螺入した状態を示す側断面図。
【符号の説明】
【００２３】
１  ＤＶＤプレーヤ（電気機器）
２  筐体
３  ファンカバー
７  ファン
８ａ  ねじ
８ｂ  ねじ
９  スペース（隙間）
２１  リアパネル（取り付け面）
２１ａ  取付孔
２１ｂ  取付孔
２２  突起部
３４ａ  中空部
３４ｂ  中空部
【図１】
0003128411.tif 000003
【図２】
0003128411.tif 000004
【図３】
0003128411.tif 000005
【図４】
0003128411.tif 000006
【図５】
0003128411.tif 000007